(57)【特許請求の範囲】
【請求項１】
原稿載置台と、該原稿載置台に設けられた開閉支点のまわりに回動可能に支持された原稿台押さえ部とを備えた原稿台開閉機構において、
前記原稿台押さえ部が閉じられるに従って前記原稿台押さえ部を開方向により大きな力で付勢する付勢手段を設け、該付勢手段は、
前記原稿載置台の前記開閉支点近傍に回動可能に支持された第１駒部材と、
前記原稿押さえ部から前記開閉支点を跨いで反対方向に突出した支持部材に回動可能に支持された第２駒部材と、
前記第１駒部材及び第２駒部材を貫通し、前記第１駒部材及び前記第２駒部材によって摺動可能に保持されたシャフトと、
前記シャフトの前記第１駒部材から前記第２駒部材とは反対側に突出した部分に挿通されたコイルばねと、
前記シャフトの前記突出部分の自由端部から前記コイルばねが脱落するのを防止する係止部材とで構成されることを特徴とする原稿台開閉機構。
【請求項２】
前記付勢手段は、前記原稿載置台の幅方向に複数配列されることを特徴とする請求項１記載の原稿台開閉機構。
【発明の詳細な説明】
【０００１】
【発明の属する技術分野】
本発明は、原稿台開閉機構に関し、特に、原稿読取装置等種々の装置に適用することができる原稿台開閉機構に関する。
【０００２】
【従来の技術】
従来、原稿載置台と、この原稿載置台の開閉支点のまわりに回動可能に支持された原稿押さえ部とを備えた原稿台開閉機構には、原稿載置台の両側面にガススプリングが備えられ、このガススプリングによって原稿押さえ部の自重による落下を防止していた。
【０００３】
また、その他の機構として、原稿押え部開閉支点側にオートヒンジを設け、オートヒンジ内のばね力により開閉時の原稿押さえ部の保持力を得る構成が採用されていた。
【０００４】
さらに、特開平９−３１１３８９号公報には、原稿載置台と原稿押さえ部とを連結するため、圧縮ばね（コイルばね）と、内部に緩衝手段を備えたガイド部材とを備えたヒンジ部が開示され、特開昭６３−２１０９２１号公報には、ヒンジ部にコイルばねを内蔵したユニットを配置した技術が開示され、特開平３−１８４０５９号公報には、原稿圧着板（原稿押さえ部）の開閉に圧縮コイルばねと、ねじりコイルばねとを使用した原稿台開閉機構が開示されている。
【０００５】
【発明が解決しようとする課題】
しかし、上記従来の技術におけるガススプリングによって原稿押さえ部の自重を支持する原稿台開閉機構では、いずれの開閉角においても原稿押さえ部が落下しないようにするため、原稿載置台へのガススプリングの取付にあたって一定の角度をもたせる必要があり、これによって物理的な制約を受けるという問題があった。また、ガススプリングを原稿載置台に対して水平方向にしか取り付けられない場合には、原稿押さえ部の開閉角（原稿押さえ部と原稿載置台とのなす角）が約２０度以下になると、ガススプリングの作用力は原稿押え部に対する重力に対して法線方向に作用するため、重力に対して有効ではなくなるという問題があった。
【０００６】
また、オートヒンジを備えた原稿台開閉機構では、既製品を使用すると物理的大きさや力の選定に制約を受ける。一方、その原稿台に専用のオートヒンジを製作した場合には、大量に生産しなければコスト面で問題となる。また、オートヒンジを長期間使用した場合の作用力の低下に対して再調整等により作用力を復帰させることができないという問題があった。
【０００７】
さらに、特開平９−３１１３８９号公報等各公報に記載の技術では、コイルばね等の取付部構造が複雑で、構成部品点数が多くなるとともに、経時変化によってばねの弾性力が低下した場合にばねの取り替えを行う際の保守作業も煩雑になるという問題があった。また、特開平３−１８４０５９号公報に記載の原稿台開閉機構では、圧縮コイルばねとねじりコイルばねの各々のばねの作用範囲と作用力の選定が容易でないという問題もあった。
【０００８】
そこで、本発明は上記従来の原稿台開閉機構における問題点に鑑みてなされたものであって、ガススプリングを付設した場合でも、物理的な制約を受けることがなく、既成のオートヒンジを付設した場合でも、物理的大きさや力の選定に制約を受けることがなく、部品点数が少なく、構成の簡易で保守作業を容易に行うこと等が可能な原稿台開閉機構を提供することを目的とする。
【０００９】
また、本発明は、上記に加え、原稿読取装置等種々の装置に対応することが可能な原稿台開閉機構を提供することを目的とする。
【００１０】
【課題を解決するための手段】
上記目的を達成するため、請求項１記載の発明は、原稿載置台と、該原稿載置台に設けられた開閉支点のまわりに回動可能に支持された原稿台押さえ部とを備えた原稿台開閉機構において、前記原稿台押さえ部が閉じられるに従って前記原稿台押さえ部を開方向により大きな力で付勢する付勢手段を設け、該付勢手段は、前記原稿載置台の前記開閉支点近傍に回動可能に支持された第１駒部材と、前記原稿押さえ部から前記開閉支点を跨いで反対方向に突出した支持部材に回動可能に支持された第２駒部材と、前記第１駒部材及び第２駒部材を貫通し、前記第１駒部材及び前記第２駒部材によって摺動可能に保持されたシャフトと、前記シャフトの前記第１駒部材から前記第２駒部材とは反対側に突出した部分に挿通されたコイルばねと、前記シャフトの前記突出部分の自由端部から前記コイルばねが脱落するのを防止する係止部材とで構成されることを特徴とする。
【００１１】
そして、請求項１記載の発明によれば、前記原稿台押さえ部が閉じられるに従って前記原稿台押さえ部を開方向により大きな力で付勢する付勢手段を有するため、原稿押さえ部の開閉角が小さい範囲では、付勢手段によって原稿押さえ部の保持力が得られ、例えば、ガススプリングを付設した場合でも、ガススプリングは原稿台押さえ部の開閉角が大きい範囲において原稿押さえ部を保持すれば良い。従って、ガススプリングを原稿載置台と平行に装着することができ、物理的制約が受け難くなる。同様に、オートヒンジを付設した場合でも、原稿押さえ部の開閉角が小さい範囲では付勢手段によって保持力が得られるため、原稿押さえ部の急激な落下を防止することができ、オートヒンジの負担を軽減しオートヒンジの長寿命化にもつながる。
また、コイルばねを係止している係止手段の位置を変更することにより、原稿押さえ部の保持力及び原稿押さえ部に対して付勢力が影響を与える位置を微調整することができる。これによって、コイルばねの寿命が延び、長期間の使用に耐えられる。また、同一の付勢手段を用いても、原稿押さえ部の保持力を変更できるため、種々の原稿開閉機構に対応することができる。
【００１４】
また、コイルばねの種類を換えることによっても原稿押さえ部の保持力を変えることができ、上記と同様に、容易に種々の原稿開閉機構に対応することができる。
【００１５】
さらに、消耗品であるコイルばねの交換に際しては、原稿押さえ部を開くことによりスプリングユニット内のコイルばねをフリーの状態とし、この状態で係止手段を外すことにより容易にコイルばねを取り出すことができて保守を容易に行うことができる。
【００１６】
また、請求項２記載の発明によれば、前記付勢手段は、前記原稿載置台の幅方向に向かって複数備えられることを特徴とする。
【００１７】
そして、請求項２記載の発明によれば、付勢手段を前記原稿載置台の幅方向に向かって複数備えたため、取り付けられたコイルばねも複数となり、コイルばねの数を変更することにより原稿押さえ部の保持力を大幅に変えることができ、容易に種々の原稿開閉機構に対応することができる。
【００１８】
【発明の実施の形態】
次に、本発明にかかる原稿台開閉機構の実施の形態の具体例を図面を参照しながら説明する。
【００１９】
図１及び図２は、本発明にかかる原稿台開閉機構の第１実施例を示す図であって、この原稿台開閉機構は、原稿載置台１と、この原稿載置台１の開閉支点３のまわりに回動可能な原稿押さえ部２と、開閉支点３近傍に配置された付勢手段としてのスプリングユニット５と、原稿載置台１と原稿押さえ部２との間に介装されたガススプリング６等で構成される。
【００２０】
原稿載置台１は、原稿をセットする台であって、矩形板状に形成され、その一端に開閉支点３及びスプリングユニット５を備える。
【００２１】
原稿押さえ部２は、開閉支点３のまわりに開閉支点３及びスプリングユニット５によって回動可能に支持され、原稿載置台１上の原稿を押圧保持する。この原稿押さえ部２の開閉にあたって、原稿押さえ部２を把持するための取手４が備えられる。
【００２２】
ガススプリング６は、原稿押さえ部２を保持するため、原稿載置台１の両側面部に設けられ、原稿押さえ部２を閉じた際に原稿載置台１の表面と平行になるように装着されている。
【００２３】
本発明の特徴部分であるスプリングユニット５は、図３に示すように、原稿載置台１側の開閉支点３近傍において、原稿載置台１に固定されたブラケット１３に回動可能に支持された第１駒部材９と、原稿押さえ部２から開閉支点３を跨いで反対方向に突出した支持部材７上に回動可能に支持された第２駒部材１０と、第１駒部材９及び第２駒部材１０を貫通し、これらに摺動可能に保持されたシャフト１１とを備え、シャフト１１に、コイルばね１４がばね押さえ座金１２ａ、１２ｂにより挟まれた状態で挿入されている。また、シャフト１１の下端には、コイルばね１４及びばね押さえ座金１２ａ、１２ｂの抜け防止のために係止部材としてダブルナット１５が設けられている。さらに、支持部材７には、第２駒部材１０が飛び出さないように駒部材押さえ８が装着される。
【００２４】
次に、上記構成を有する原稿台開閉機構の動作について説明する。
【００２５】
図４は、原稿押さえ部２が、開閉角（原稿載置台１と原稿押さえ部２のなす角）２５度〜最大開閉角（本実施例では６０度）の範囲にある状態を示している。この状態では、原稿押さえ部２はガススプリング６の力により保持されている。また、この状態において、スプリングユニット５は、図５に示すように、コイルばね１４の一端が第１駒部材９と接触せず、コイルばね１４は加重されていない自由長の状態となっている。そのため、スプリングユニット５は原稿押さえ部３には作用していない。
【００２６】
次に、図６は、原稿押さえ部２が開閉角約２５度にある状態を示している。この状態においては、図１０に示すように、ガススプリング６によって原稿押さえ部２に与えられる力Ｆが原稿押さえ部２の重力Ｗの向きに対して法線方向に向き始め、原稿押さえ部２の保持には無効となりつつある。この時、スプリングユニット５の状態は図７に示すように、第１駒部材９がばね押さえ座金１２ａに接触し始め、コイルばね１４を圧縮し始め、コイルばね１４の反力により原稿押さえ部２に対して開方向の力が作用し始める。
【００２７】
次に、図８は、原稿押さえ部２が閉じた状態を示す。この状態では、ガススプリング６によって原稿押さえ部２に与えられる力の向きは原稿押さえ部に対する重力の向きに対して法線方向にあるため、原稿押さえ部２の保持には無効となっている。ここで、図９に示すように、スプリングユニット５のコイルばね１４は最も圧縮された状態となり、最も大きな反力で原稿押さえ部２を保持することとなる。そして、原稿押さえ部２は図示しないロック機構によって原稿載置台１に保持される。
【００２８】
次に、本発明にかかる原稿台開閉機構の第２実施例について図１１及び図１２を参照しながら説明する。
【００２９】
本実施例では、第１実施例におけるガススプリング６に代えてオートヒンジ１６が使用される。オートヒンジ１６もガススプリング６と同様に、原稿押さえ部２の開閉角が小さいときには、原稿押さえ部２に対する重力がオートヒンジ１６の保持力より大きくなる。そこで、図１２に示すように、原稿押さえ部２の開閉支点３側にオートヒンジ１６とともにスプリングユニット５を並べて実装することにより、第１実施例の場合と同様の効果が得られる。
【００３０】
次に、本発明にかかる原稿台開閉機構の第３実施例について図１３を参照しながら説明する。
【００３１】
本実施例では、上記実施例におけるガススプリング６、オートヒンジ１６の代わりに、原稿載置台１の両側面にステー１７を配置する。ステー１７には既製品を選定することができる。ステー１７には、最大ストローク付近でストッパを備えたもの、任意の位置で固定できるもの等種々のものが存在するが、本実施例では、原稿押さえ部２の開閉動作における最大開閉角での保持、またはスプリングユニット５の保持力が得られる開閉角までの原稿押さえ部２の保持に用いられる。いずれにしても原稿押さえ部２の開閉角が小さい（０度〜２５度付近）範囲では、ステー１７だけでは原稿押さえ部を保持できないため、スプリングユニット５を設けることにより安全な開閉動作を提供することができる。
【００３２】
【発明の効果】
以上説明したように、請求項１記載の発明によれば、例えば、ガススプリングを付設した場合でも、原稿載置台と平行に装着することができ物理的制約が受け難くなり、オートヒンジを付設した場合でも、原稿押さえ部の急激な落下を防止することができ、オートヒンジの負担を軽減しオートヒンジの長寿命化にもつながる原稿台開閉機構を提供することができる。
【００３３】
また、上記効果に加え、コイルばねの寿命が延び、長期間の使用に耐えることができ、種々の原稿開閉機構に対応することが可能な原稿台開閉機構を提供することができる。さらに、容易にコイルばねを取り出すことができて保守が容易な原稿台開閉機構を提供することができる。
【００３４】
請求項２記載の発明によれば、コイルばねの数を変更することにより原稿押さえ部の保持力を大幅に変えることができ、容易に種々の原稿開閉機構に対応することが可能な原稿台開閉機構を提供することができる。
【図面の簡単な説明】
【図１】本発明にかかる原稿台開閉機構の第１実施例を示す側面図である。
【図２】図１の原稿台開閉機構の平面図である。
【図３】図１の原稿台開閉機構のスプリングユニットを示す詳細図である。
【図４】図１の原稿台開閉機構の原稿押さえ部の開閉角が２５度〜６０度の範囲にある状態を示す側面図である。
【図５】図４の状態にある原稿台開閉機構のスプリングユニットを示す詳細図である。
【図６】図１の原稿台開閉機構の原稿押さえ部の開閉角が２５度の状態を示す側面図である。
【図７】図６の状態にある原稿台開閉機構のスプリングユニットを示す詳細図である。
【図８】図１の原稿台開閉機構の原稿押さえ部の開閉角が０度の状態（閉じている状態）を示す側面図である。
【図９】図８の状態にある原稿台開閉機構のスプリングユニットを示す詳細図である。
【図１０】図６の状態にある原稿台開閉機構の原稿押さえ部に作用する力を示す概略図である。
【図１１】本発明にかかる原稿台開閉機構の第２実施例を示す側面図である。
【図１２】図１１の原稿台開閉機構の平面図である。
【図１３】本発明にかかる原稿台開閉機構の第３実施例を示す側面図である。
【符号の説明】
１      原稿載置台
２      原稿押さえ部
３      開閉支点
４      取手
５      スプリングユニット
６      ガススプリング
７      支持部材
８      駒部材押さえ
９      第１駒部材
１０    第２駒部材
１１    シャフト
１２ａ、１２ｂ    ばね押さえ座金
１３    ブラケット
１４    コイルばね
１５    ダブルナット
１６    オートヒンジ
１７    ステー
【図１】
0003655786.tif 000002
【図２】
0003655786.tif 000003
【図３】
0003655786.tif 000004
【図４】
0003655786.tif 000005
【図５】
0003655786.tif 000006
【図６】
0003655786.tif 000007
【図７】
0003655786.tif 000008
【図８】
0003655786.tif 000009
【図９】
0003655786.tif 000010
【図１０】
0003655786.tif 000011
【図１１】
0003655786.tif 000012
【図１２】
0003655786.tif 000013
【図１３】
0003655786.tif 000014